(57)【要約】【課題】穴開き部分を有する原稿の原稿サイズをより正確に検出して、原稿に形成される画像を正確に読み取ることが可能な画像読取装置を提供する。【解決手段】  画像読取装置１は、搬送される原稿Ｐが有る有状態又は原稿Ｐが無い無状態を示す信号を出力するセンサ２０と、センサ２０から出力される信号に基づいて、原稿Ｐの前端部ＦＥと後端部ＲＥとを判断する端部判断部１２０と、前端部ＦＥと後端部ＲＥとに基づいて、原稿Ｐの原稿サイズを特定する読取処理部１３０とを備え、端部判断部１２０は、最初に信号が有状態に変化した場合、有状態に変化した時点で原稿Ｐの前端部ＦＥを検出したと判断し、信号が無状態に変化した時点から所定期間Ｄａ内に有状態に変化した場合、原稿Ｐの後端部ＲＥとは判断せず、信号が無状態に変化した時点から所定期間Ｄａ内に有状態に変化しない場合、無状態に変化した時点で原稿の後端部ＲＥを検出したと判断する。【選択図】  図３
2017212570.tif 000002
【特許請求の範囲】
【請求項１】
原稿を搬送しながら前記原稿に形成される画像を読み取る画像読取装置であって、
搬送される前記原稿に照射した照射光に基づいて、前記原稿が有る有状態又は前記原稿が無い無状態を検出して、前記有状態又は前記無状態を示す信号を出力するセンサと、
前記センサから出力される前記信号に基づいて、前記原稿の前端部と後端部とを判断する端部判断部と、
前記前端部と前記後端部とに基づいて、前記原稿の原稿サイズを特定する原稿サイズ特定部とを備え、
前記端部判断部は、
前記原稿の搬送を開始した後に最初に前記信号が前記有状態に変化した場合、当該有状態に変化した時点で前記原稿の前端部を検出したと判断し、
前記信号が前記有状態から前記無状態に変化した時点から所定期間内に前記有状態に変化した場合には前記原稿の後端部とは判断せず、前記信号が前記有状態から前記無状態に変化した時点から前記所定期間内に前記有状態に変化しない場合に当該無状態に変化した時点で前記原稿の前記後端部を検出したと判断する
ことを特徴とする画像読取装置。
【請求項２】
前記所定期間は、前記原稿に形成される穴開き部分のサイズと前記原稿の搬送速度とに基づいて設定される
ことを特徴とする請求項１に記載の画像読取装置。
【発明の詳細な説明】
【技術分野】
【０００１】
本発明は、穴開き部分を有する原稿を搬送しながら原稿に形成される画像を読み取る画像読取装置に関する。
【背景技術】
【０００２】
従来、複写機や複合機など、原稿に形成される画像を読み取る画像読取装置では、原稿サイズを検出するため、原稿の端部を検出する光学式のセンサが設けられている。
【０００３】
また、読み取り対象の原稿が、ルーズリーフ等の穴開き部分が形成された原稿である場合、センサは、穴開き部分の端部を原稿の端部として誤検出してしまう。この結果、原稿サイズを正確に検出できないという問題がある。
【０００４】
このような問題を解決するため、２つのセンサの検出結果に基づいて、原稿サイズを検出する画像読取装置も提案されている（例えば、特許文献１参照）。かかる画像読取装置によれば、２つのセンサのうちの一方のセンサが穴開き部分の端部を検出しても、他方のセンサが何も検出しなければ、原稿の端部を検出したと判定しない。これにより、穴開き部分の端部を原稿の端部として誤検出することを低減できる。
【先行技術文献】
【特許文献】
【０００５】
【特許文献１】特開２０１５−１０５１５９号公報
【発明の概要】
【発明が解決しようとする課題】
【０００６】
しかしながら、従来技術では、穴開き部分が搬送方向に対して直行する方向に列状に配置された状態で搬送される場合には、２つのセンサが、いずれも穴開き部分の端部を検出することもあるため、穴開き部分の端部を原稿の端部として誤検出してしまうこともある。
【０００７】
このように、単にセンサの数を増やしたとしても、原稿の端部を誤検出してしまうこともあるため、必ずしも原稿サイズを正確に検出できず、原稿に形成される画像を正確に読み取れないという問題があり対策が望まれていた。
【０００８】
本発明は、上述の状況に鑑みてなされたもので、穴開き部分を有する原稿の原稿サイズをより正確に検出して、原稿に形成される画像を正確に読み取ることが可能な画像読取装置を提供することを目的とする。
【課題を解決するための手段】
【０００９】
上記目的を達成するため、本発明に係る画像読取装置の第１の特徴は、原稿を搬送しながら前記原稿に形成される画像を読み取る画像読取装置であって、搬送される前記原稿に照射した照射光に基づいて、前記原稿が有る有状態又は前記原稿が無い無状態を検出して、前記有状態又は前記無状態を示す信号を出力するセンサと、前記センサから出力される前記信号に基づいて、前記原稿の前端部と後端部とを判断する端部判断部と、前記前端部と前記後端部とに基づいて、前記原稿の原稿サイズを特定する原稿サイズ特定部とを備え、前記端部判断部は、前記原稿の搬送を開始した後に最初に前記信号が前記有状態に変化した場合、当該有状態に変化した時点で前記原稿の前端部を検出したと判断し、前記信号が前記有状態から前記無状態に変化した時点から所定期間内に前記有状態に変化した場合には前記原稿の後端部とは判断せず、前記信号が前記有状態から前記無状態に変化した時点から前記所定期間内に前記有状態に変化しない場合に当該無状態に変化した時点で前記原稿の前記後端部を検出したと判断することを特徴とする。
【００１０】
本発明に係る画像読取装置の第２の特徴は、上記特徴に係り、前記所定期間は、前記原稿に形成される穴開き部分のサイズと前記原稿の搬送速度とに基づいて設定されることにある。
【発明の効果】
【００１１】
本発明に係る画像読取装置の第１の特徴によれば、原稿がある有状態と原稿が無い無状態を検出して信号を出力するセンサと、センサの信号に基づいて原稿の前端部と後端部とを判断する端部判断部を有し、端部判断部は、原稿の搬送を開始した後に最初に原稿の有状態に変化した場合、有状態に変化した時点で原稿の前端部を検出したと判断し、信号が有状態から無状態に変化した時点から所定期間内に有状態に変化した場合には原稿の後端部とは判断せず搬送を継続し、信号が有状態から無状態に変化した時点から所定期間内に有状態に変化しない場合に無状態に変化した時点を原稿の後端部と判断する。
【００１２】
これにより、センサから出力される信号が、穴開き部分によって無状態に変化しても、所定期間内に有状態に復帰するのであれば、原稿の後端部を検出したと判断しない。このため、穴開き部分の影響を受けずに、原稿の後端部の検出を判断できるため、原稿サイズを正確に検出できる。すなわち、穴開き部分を有する原稿の原稿サイズをより正確に検出するとともに、原稿に形成される画像を正確に読み取ることも可能になる。また、複数のセンサを備えなくとも、単一のセンサを備えていればよいので、コストを低減することが可能となる。
【００１３】
本発明に係る画像読取装置の第２の特徴によれば、所定期間は、穴開き部分のサイズと原稿の搬送速度とに基づいて設定されるため、穴開き部分の搬送される期間をより正確に設定できる。これにより、原稿の後端部をより正確に判断できる。
【図面の簡単な説明】
【００１４】
【図１】本発明の実施例１に係る画像読取装置の構成を示す概略平面図である。
【図２】本発明の実施例１に係る画像読取装置の構成を示す概略断面図である。
【図３】本発明の実施例１に係る画像読取装置の機能を示すブロック図である。
【図４】本発明の実施例１に係る画像読取装置の動作を示すフローチャートである。
【図５】（ａ）原稿の平面図である。（ｂ）本発明の実施例１に係る画像読取装置の動作を示すタイミングチャートである。
【発明を実施するための形態】
【００１５】
以下、本発明の実施例に係る画像読取装置について、図面を参照しながら詳細に説明する。また、以下に示す実施例は、この発明の技術的思想を具体化するための装置等を例示するものであって、この発明の技術的思想は、各構成部品の配置等を下記のものに特定するものでない。この発明の技術的思想は、特許請求の範囲において、種々の変更を加えることができる。
【００１６】
［実施例１］
＜画像読取装置の構成＞
図１は、本発明の実施例１に係る画像読取装置１の構成を示す概略平面図である。なお、図１において、Ｘ方向（左右方向）が横方向を示し、Ｙ方向（上下方向）が幅方向を示し、Ｚ方向（前後方向）が高さ方向を示す。
【００１７】
画像読取装置１は、複写機や印刷装置などの機器に設けられる。画像読取装置１は、原稿Ｐを搬送しながら原稿Ｐに形成される画像を読み取るものである。また、画像読取装置１により搬送される原稿Ｐは、ルーズリーフ等のように穴開き部分Ｈを有する。原稿Ｐは、搬送経路ＴＲに沿って搬送される。
【００１８】
図２には、本発明の実施例１に係る画像読取装置１の構成を示す概略断面図が示されている。図２に示すように、画像読取装置１は、搬送部１０と、センサ２０と、画像読取部３０と、制御部１００とを備える。
【００１９】
搬送部１０は、原稿Ｐを載置する載置台１１と、原稿Ｐを搬送する搬送ローラ１２とを備え、自動原稿搬送（ＡＤＦ：Ａｕｔｏ  Ｄｏｃｕｍｅｎｔ  Ｆｅｅｄｅｒ）により、載置台１１に載置される原稿Ｐを搬送経路ＴＲに沿って搬送する。
【００２０】
センサ２０は、原稿Ｐの前端部ＦＥと原稿Ｐの後端部ＲＥとを検出するための反射型の光学センサである。センサ２０は、搬送経路ＴＲ上に配置されている。
【００２１】
センサ２０は、搬送される原稿Ｐに照射した照射光に基づいて、原稿Ｐが有る有状態又は原稿Ｐが無い無状態を検出して、有状態又は無状態を示す信号を出力する。センサ２０から出力される信号は、制御部１００に入力される。
【００２２】
画像読取部３０は、自動読取動作と手動読取動作とにより、原稿Ｐの画像を読み取る。具体的に、自動読取動作では、画像読取部３０は、自動読取領域３１を介して、搬送経路ＴＲに沿って搬送される原稿Ｐの画像を読み取る。
【００２３】
画像読取部３０は、主走査方向に延びるライン画像を読み取って、読み取ったライン画像を制御部１００に送信する。また、画像読取部３０は、原稿Ｐの搬送により、副走査方向に順次読み込んだライン画像を、制御部１００に順次送信する。
【００２４】
また、画像読取部３０は、図２に示すＸ方向（左右方向）に移動可能に構成されている。そして、手動読取動作では、画像読取部３０は、原稿載置領域３２を介して、原稿載置領域３２に配置される原稿Ｐの画像を読み取ることもできる。
【００２５】
自動読取領域３１及び原稿載置領域３２は、いずれもガラス板によって構成され、自動読取領域３１及び原稿載置領域３２の周囲は遮光部材により覆われている。
【００２６】
制御部１００は、画像読取装置１の各部の動作を制御する。制御部１００は、ＣＰＵ、ＲＡＭ、ＲＯＭ、ハードディスク等を備えて構成される。
【００２７】
ここで、図３には、画像読取装置１の機能を示すブロック図が示されている。図３に示すように、制御部１００は、搬送制御部１１０と、端部判断部１２０と、読取処理部１３０とを備える。
【００２８】
搬送制御部１１０は、搬送部１０を制御する。搬送制御部１１０は、例えば、操作パネル（不図示）を用いたユーザの入力操作によって、原稿Ｐに形成される画像の読込開始を指示されると、搬送経路ＴＲに沿って原稿Ｐを搬送するように搬送部１０を制御する。
【００２９】
端部判断部１２０は、センサ２０から出力される信号に基づいて、原稿Ｐの前端部ＦＥと後端部ＲＥとを判断する。
【００３０】
例えば、端部判断部１２０は、原稿Ｐの搬送を開始した後に最初に信号が有状態に変化した場合、当該有状態に変化した時点で原稿Ｐの前端部ＦＥを検出したと判断する。
【００３１】
また、端部判断部１２０は、センサ２０から出力される信号が有状態から無状態に変化した時点から所定期間内に有状態に変化した場合、原稿Ｐの後端部ＲＥとは判断しない。一方、端部判断部１２０は、センサ２０から出力される信号が有状態から無状態に変化した時点から所定期間内に有状態に変化しない場合、すなわち、所定期間内に無状態を維持していた場合、当該無状態に変化した時点で原稿Ｐの後端部ＲＥを検出したと判断する。
【００３２】
端部判断部１２０は、信号補正処理部１２１と、前端検出部１２２と、後端検出部１２３とを備えており、これらの機能により、原稿Ｐの前端部ＦＥと後端部ＲＥとを判断するように構成される。
【００３３】
信号補正処理部１２１は、センサ２０から出力される信号を入力すると、自身で生成する期間参照信号と、センサ２０から出力される信号とに基づいて、補正信号を出力する。
【００３４】
ここで、期間参照信号は、センサ２０から出力される信号が有状態から無状態に変化した時点から所定期間を規定するための信号である。期間参照信号は、所定期間以外は、“Ｈ状態”を示し、所定期間だけ“Ｌ状態”を示す。
【００３５】
また、所定期間は、穴開き部分Ｈのサイズφと原稿Ｐの搬送速度Ｖとに基づいて設定される。具体的に、所定期間をＤａとした場合、穴開き部分Ｈのサイズをφとし、原稿Ｐの搬送速度をＶとした場合、ＤａとφとＶとは、（φ／Ｖ）＜Ｄａ＜（２×φ／Ｖ）の関係を満たす。
【００３６】
補正信号は、原稿Ｐの前端部ＦＥと後端部ＲＥとを検出するために用いられる信号である。補正信号は、センサ２０の信号が無状態から有状態に変化した時点で、センサ２０の信号に追従して、無状態から有状態に変化する。
【００３７】
また、補正信号は、センサ２０の信号が有状態から無状態に変化した時点から所定期間内に有状態に変化した場合には、所定期間経過後に有状態に変化する。
【００３８】
前端検出部１２２は、センサ２０の信号に基づいて、原稿Ｐの前端部ＦＥを判断する。具体的に、前端検出部１２２は、センサ２０の信号の変化に伴って、補正信号も有状態に変化した場合に、原稿Ｐの前端部ＦＥを検出したと判断する。
【００３９】
後端検出部１２３は、信号補正処理部１２１から出力される補正信号と、センサ２０から出力される信号とに基づいて、原稿Ｐの後端部ＲＥを判断する。
【００４０】
具体的に、後端検出部１２３は、補正信号が有状態から無状態に変化した場合、無状態に変化するよりも所定期間Ｄａだけ前に、センサ２０の信号が無状態に変化した時点で原稿Ｐの後端部ＲＥを検出したと判断する。
【００４１】
前端検出部１２２による前端部ＦＥの検出結果と、後端検出部１２３による後端部ＲＥの検出結果とは、読取処理部１３０に送信される。
【００４２】
読取処理部１３０は、原稿Ｐの前端部ＦＥと後端部ＲＥとに基づいて、原稿Ｐの原稿サイズを特定する。そして、読取処理部１３０は、原稿Ｐの原稿サイズを読取範囲として、原稿Ｐに形成される画像を読み取って、画像データを生成する。なお、読取処理部１３０は、特許請求の範囲に記載の原稿サイズ特定部を構成する。
【００４３】
＜画像読取装置１の動作＞
次に、図４〜５を参照して、画像読取装置１の動作について説明する。図４は、画像読取装置１の動作を示すフローチャートである。なお、図４のフローチャートでは、画像読取装置１が一枚の原稿Ｐを搬送しながら、原稿Ｐに形成される画像を読み込んで、画像データを生成する際の動作が示されている。
【００４４】
また、図５（ａ）は、搬送される原稿Ｐの平面図であり、図５（ｂ）は、画像読取装置１の信号及び動作を示すタイミングチャートである。
【００４５】
ステップＳ１０において、１枚の原稿Ｐの搬送が開始されると、端部判断部１２０は、センサ２０の信号が有状態に変化したか否かを判定する。すなわち、端部判断部１２０は、原稿Ｐの搬送を開始後、センサ２０の信号が無状態から最初に有状態に変化したか否かを判定する。
【００４６】
なお、端部判断部１２０は、センサ２０の信号が有状態に変化しない場合（ステップＳ１０“Ｎｏ”）、ステップＳ１０の動作を繰り返す。
【００４７】
ステップＳ２０において、端部判断部１２０は、センサ２０の信号が最初に有状態に変化した場合（ステップＳ１０“Ｙｅｓ”）、信号が有状態に変化した時点を原稿Ｐの前端部ＦＥと判断する。
【００４８】
具体的に、図５（ａ）に示す原稿Ｐの前端部ＦＥがセンサ２０に到達すると、図５（ｂ）に示すように、センサ２０の信号が、無状態を示す“Ｈ状態”から有状態を示す“Ｌ状態”に変化する。
【００４９】
端部判断部１２０では、信号補正処理部１２１は、センサ２０の信号が有状態を示す“Ｌ状態”に変化した時点Ｔ１において、“Ｈ状態”から“Ｌ状態”に変化させた補正信号を出力する。
【００５０】
前端検出部１２２は、センサ２０の信号が最初に有状態を示す“Ｌ状態”に変化した時点Ｔ１、すなわち、信号補正処理部１２１の補正信号が“Ｈ状態”から“Ｌ状態”に変化した時点Ｔ１を、原稿Ｐの前端部ＦＥと判断して、読取処理部１３０に通知する。
【００５１】
ステップＳ３０において、読取処理部１３０は、画像読取部３０を制御して、原稿Ｐに形成される画像の読込を開始する。具体的に、読取処理部１３０は、画像読取部３０により読み込まれる主走査方向に延びるライン画像をメモリ（不図示）に記憶する。また、読取処理部１３０は、画像読取部３０が原稿Ｐの搬送により副走査方向に順次読み込むライン画像を、順次記憶していく。
【００５２】
なお、実際には、センサ２０の位置と画像読取部３０の位置とが離間しているため、原稿Ｐの搬送等による遅延調整を行う必要があるが、簡略化のため、センサ２０の位置と画像読取部３０の位置とが同一であり、遅延調整が不要であるものとして説明する。
【００５３】
また、読取処理部１３０によりライン画像の記憶が開始されると、端部判断部１２０では、後端検出部１２３が、読取処理部１３０を参照して主走査方向のライン画像のカウントを開始する。具体的に、後端検出部１２３は、図５（ｂ）に示すように、カウント値Ｌ１を初期値として、カウントを開始する。
【００５４】
ステップＳ４０において、端部判断部１２０は、センサ２０の信号が、有状態を示す“Ｌ状態”から無状態を示す“Ｈ状態”に変化したか否かを判定する。なお、端部判断部１２０は、センサ２０の信号が無状態に変化しない場合（ステップＳ４０“Ｎｏ”）、ステップＳ４０の動作を繰り返す。
【００５５】
ステップＳ５０において、端部判断部１２０は、センサ２０の信号が、有状態を示す“Ｌ状態”から無状態を示す“Ｈ状態”に変化した場合（ステップＳ４０“Ｙｅｓ”）、端部判断部１２０では、後端検出部１２３が、ライン画像のカウント値を保持する。
【００５６】
ここで、センサ２０の信号が、有状態を示す“Ｌ状態”から無状態を示す“Ｈ状態”に変化するケースは、センサ２０が原稿Ｐの穴開き部分Ｈに到達するケースと、センサ２０が原稿Ｐの後端部ＲＥに到達するケースとの２つのケースがあり得る。
【００５７】
具体的に、図５（ｂ）に示すように、センサ２０が原稿Ｐの穴開き部分Ｈに到達した時点Ｔ２において、センサ２０の信号が、有状態を示す“Ｌ状態”から無状態を示す“Ｈ状態”に変化した場合、端部判断部１２０では、後端検出部１２３が、ライン画像のカウント値Ｌｎを保持する。
【００５８】
一方、センサ２０が原稿Ｐの後端部ＲＥに到達した時点Ｔ５においても、センサ２０の信号が、有状態を示す“Ｌ状態”から無状態を示す“Ｈ状態”に変化した場合、端部判断部１２０では、後端検出部１２３が、ライン画像のカウント値Ｌｍを保持する。
【００５９】
ステップＳ６０において、端部判断部１２０は、センサ２０の信号が有状態を示す“Ｌ状態”から無状態を示す“Ｈ状態”に変化した時点Ｔ２から、所定期間Ｄａの間に、有状態を示す“Ｌ状態”に変化しなかったか否かを判定する。言い換えれば、端部判断部１２０は、所定期間Ｄａの間に、センサ２０の信号が有状態を示す“Ｌ状態”に復帰したか否かを判定する。
【００６０】
ここで、ステップＳ６０における端部判断部１２０動作は、センサ２０の信号の状態変化が、穴開き部分Ｈの端部によるものか、原稿Ｐの後端部ＲＥによるものかを判断するための動作である。
【００６１】
具体的に、図５（ｂ）に示すように、端部判断部１２０では、信号補正処理部１２１が、所定期間Ｄａの間、期間参照信号を“Ｈ状態”から“Ｌ状態”に変化させる。
【００６２】
また、信号補正処理部１２１から出力される補正信号は、時点Ｔ２から所定期間Ｄａの間、“Ｌ状態”を維持する。そして、補正信号は、所定期間Ｄａの終わる時点Ｔ４以後、センサ２０から出力される信号に追従して、“Ｌ状態”を維持する。
【００６３】
なお、図５（ｂ）に示すように、時点Ｔ３において、センサ２０の信号が、穴開き部分Ｈの端部により、無状態を示す“Ｈ状態”から有状態を示す“Ｌ状態”に変化しても、端部判断部１２０は、特に動作を行わない。
【００６４】
すなわち、端部判断部１２０では、センサ２０から出力される信号が有状態の“Ｌ状態”から無状態の“Ｈ状態”に変化した時点Ｔ２から、所定期間Ｄａ内に有状態“Ｌ状態”に変化した場合、穴開き部分Ｈの端部によるものと判断して、原稿Ｐの後端部ＲＥとは判断しない。
【００６５】
従って、ステップＳ６０において、端部判断部１２０は、有状態を示す“Ｌ状態”に変化した場合（ステップＳ４０“Ｎｏ”）には、ステップＳ４０の動作を繰り返す。
【００６６】
一方、ステップＳ７０において、端部判断部１２０は、センサ２０の信号が無状態を示す“Ｈ状態”に変化してから所定期間Ｄａの間、有状態を示す“Ｌ状態”に変化していない場合（ステップＳ６０“Ｙｅｓ”）、すなわち、所定期間Ｄａの後もセンサ２０の信号が無状態のままであった場合、後端部ＲＥを検出したと判断する。
【００６７】
具体的に、図５（ｂ）に示すように、センサ２０の信号が無状態を示す“Ｈ状態”に変化した時点Ｔ５から時点Ｔ６までの所定期間Ｄａの間、無状態のままであった場合、端部判断部１２０では、信号補正処理部１２１が、時点Ｔ６において、有状態を示す“Ｌ状態”から無状態を示す“Ｈ状態”に変化させた補正信号を出力する。
【００６８】
そして、端部判断部１２０では、後端検出部１２３は、補正信号が時点Ｔ６に“Ｈ状態”に変化したことにより、後端部ＲＥが検出されたと判断する。具体的に、後端検出部１２３は、時点Ｔ５で後端部ＲＥが検出されたと判断する。そして、後端検出部１２３は、時点Ｔ５に保持していたカウント値Ｌｍを後端部ＲＥとして読取処理部１３０に送信する。
【００６９】
ステップＳ８０において、端部判断部１２０は、ライン画像のカウントを停止するとともに、読取処理部１３０に画像の読込の停止を指示する。
【００７０】
ステップＳ９０において、読取処理部１３０は、前端部ＦＥと後端部ＲＥとに基づいて、原稿Ｐの原稿サイズを特定する。具体的に、読取処理部１３０は、前端部ＦＥとして検出されたカウント値Ｌ１から、後端部ＲＥとして検出されたカウント値Ｌｍまでの範囲を、画像を読み込むべき原稿サイズであると特定する。そして、図５（ｂ）に示すように、読取処理部１３０は、カウント値Ｌ１からカウント値Ｌｍまでライン画像に基づいて、画像データを生成する。
【００７１】
＜作用及び効果＞
以上のように、本発明の実施例１に係る画像読取装置１では、原稿Ｐの有状態と無状態を示す信号を出力するセンサ２０と、センサ２０の信号に基づいて原稿Ｐの前端部ＦＥと後端部ＲＥとを判断する端部判断部１２０と、を有する。
【００７２】
また、端部判断部１２０は、原稿Ｐの搬送を開始した後に最初に原稿Ｐの有状態に変化した場合、有状態に変化した時点（例えば、時点Ｔ１）で原稿Ｐの前端部ＦＥを検出したと判断する。端部判断部１２０は、原稿Ｐの有状態から無状態に変化した時点（例えば、時点Ｔ２）から所定期間Ｄａ内に有状態に変化した場合は原稿Ｐの後端部ＲＥを検出したと判断せずに搬送を継続し、所定期間Ｄａ内に有状態に変化しない場合、無状態に変化した時点（例えば、時点Ｔ５）を原稿Ｐの後端部ＲＥを検出した判断する。
【００７３】
これにより、センサ２０から出力される信号が穴開き部分Ｈによって無状態に変化しても、所定期間Ｄａ内に有状態に復帰するのであれば、原稿Ｐの後端部ＲＥを検出したと判断しない。
【００７４】
このため、穴開き部分Ｈの影響を受けずに、原稿Ｐの後端部ＲＥの検出を判断できるため、原稿サイズを正確に検出できる。すなわち、穴開き部分Ｈを有する原稿Ｐの原稿サイズをより正確に検出するとともに、原稿Ｐに形成される画像を正確に読み取ることも可能になる。
【００７５】
また、複数のセンサ２０を備えなくとも、単一のセンサ２０を備えていればよいので、複数のセンサ２０を備える場合に比べてコスト低減が可能となる。
【００７６】
また、本発明の実施例１に係る画像読取装置１によれば、所定期間Ｄａは、穴開き部分Ｈのサイズφと原稿Ｐの搬送速度Ｖとに基づいて設定されるため、穴開き部分Ｈの搬送される所定期間Ｄａをより正確に設定できる。これにより、原稿Ｐの前端部ＦＥと後端部ＲＥとをより正確に判断できる。
【００７７】
［本発明のその他の実施形態］
以上、上述の実施形態を用いて本発明について詳細に説明したが、当業者にとっては、本発明が本明細書中に説明した実施形態に限定されるものではないということは明らかである。
【００７８】
例えば、上述した実施形態では、センサ２０は、反射型の光学センサであったが、これに限定されず、透過型の光学センサであってもよい。
【００７９】
このように、本発明は上記実施の形態そのままに限定されるものではなく、実施段階ではその要旨を逸脱しない範囲で構成要素を変形して具体化できる。また、上記実施の形態に開示されている複数の構成要素の適宜な組み合せにより、種々の発明を形成できる。例えば、実施の形態に示される全構成要素から幾つかの構成要素を削除してもよい。
【符号の説明】
【００８０】
１…画像読取装置
１０…搬送部
２０…センサ
３０…画像読取部
１００…制御部
１１０…搬送制御部
１２０…端部判断部
１２１…信号補正処理部
１２２…前端検出部
１２３…後端検出部
１３０…読取処理部
【図１】
2017212570.tif 000003
【図２】
2017212570.tif 000004
【図３】
2017212570.tif 000005
【図４】
2017212570.tif 000006
【図５】
2017212570.tif 000007